(57)【要約】　　【課題】ステープルの補充作業の必要性を早目に認識できるステープラーを提供する。　　【解決手段】ステープルマガジン内に収容されるステープルの残量が少なくなったときに報知するステープル残量報知装置を備え、音や光を媒体として報知させる。つまり、ステープルを打出口方向に押送するプッシャ１３の移動を利用して、プッシャ１３の所定位置でドライバ１５と接触して音を発生させるよう構成することで、従来のように、視認窓を覗く煩わしさを解消し、ステープル補充作業の急な告知から解放されるようにする。【選択図】　図２
2004090214.tif 000002
【特許請求の範囲】
【請求項１】
　ステープルマガジンの前端底部に曲台と対向するステープル打出口を有し、ステープルを前記打出口方向に押送するプッシャと、前記ステープル打出口からステープルを打ち出すドライバとを備えたステープラーにおいて、
　前記ステープルマガジン内に収容されるステープルの残量が少なくなったときに報知するステープル残量報知装置を備え、
　前記ステープル残量報知装置は、音を発生させる弾片と、該弾片に係合して弾く係合部とからなり、残量の少ないステープルの打出により係合部が弾片を弾くように、弾片がプッシャに設けられ、係合部がドライバに形成されたことを特徴とするステープラー。
【請求項２】
　ステープルマガジンの前端底部に曲台と対向するステープル打出口を有し、ステープルを前記打出口方向に押送するプッシャと、前記ステープル打出口からステープルを打ち出すドライバとを備えたステープラーにおいて、
　前記ステープルマガジン内に収容されるステープルの残量が少なくなったときに報知するステープル残量報知装置を備え、
　前記ステープル残量報知装置は、音を発生させる鐘部材と、該鐘部材を打つ打部材と、該打部材に係合して弾く係合部とからなり、残量の少ないステープルの打出により係合部が打部材を弾くように、前記係合部がプッシャに設けられ、前記係合部を係合させる打部材の被係合部がドライバ付近に形成されたことを特徴とするステープラー。
【請求項３】
　ステープルマガジンの前端底部に曲台と対向するステープル打出口を有し、ステープルを前記打出口方向に押送するプッシャと、前記ステープル打出口からステープルを打ち出すドライバとを備えたステープラーにおいて、
　前記ステープルマガジン内に収容されるステープルの残量が少なくなったときに報知するステープル残量報知装置を備え、
　前記ステープル残量報知装置は、音を発生させる音発生部と、該音発生部を作動停止するスイッチと、該スイッチに係合して入切する係合部とからなり、残量の少ないステープルの打出により係合部がスイッチを入切するように、スイッチがプッシャに設けられ、係合部がドライバに形成されたことを特徴とするステープラー。
【請求項４】
　ステープルマガジンの前端底部に曲台と対向するステープル打出口を有し、ステープルを前記打出口方向に押送するプッシャと、前記ステープル打出口からステープルを打ち出すドライバとを備えたステープラーにおいて、
　前記ステープルマガジン内に収容されるステープルの残量が少なくなったときに報知するステープル残量報知装置を備え、
　前記ステープル残量報知装置は、光を発生させる光発生部と、該光発生部を作動停止するスイッチと、該スイッチに係合して入切する係合部とからなり、残量の少ないステープルの打出により係合部がスイッチを入切するように、スイッチがプッシャに設けられ、係合部がドライバに形成されたことを特徴とするステープラー。
【発明の詳細な説明】
【技術分野】
【０００１】
　本発明は、ステープル残量を使用者に知らせるステープル残量報知装置付きのステープラーに関するものである。
【背景技術】
【０００２】
　ステープラーの基本構成は、曲台を有するベースと、打出口を有するステープル装填用のステープルマガジンと、ステープルマガジン内のステープル（針）を打出口から打ち出すためのドライバを有するハンドルとを備え、これらベース、マガジンおよびハンドルの後端部が軸周りに回動可能に支持されている。
【０００３】
　このような基本構成の下、ステープルは箱型のステープルマガジン内に収容されているので、使用中にステープルの残量を確認することができない。
【０００４】
　そこで、従来のステープラーにおいては、ステープル残量を目視で確認できるよう種々の方策が講じられていた。例えば、特許文献１には、ステープルマガジンの側面にスロットと、表示を設けたステープラーが開示されている。
【０００５】
　また、特許文献２には、ステープルをマガジンに装填してハンドルを下ろしてしまうと、ハンドルがマガジンを覆ってしまい、マガジン内のステープルを視認できなくなるので、ハンドルの押え位置に視認窓を設け、この視認窓から残量が目視できるようにしたステープラーが開示されている。
【特許文献１】実開昭６１−１１７６８５号公報（請求の範囲第（１）項）
【特許文献２】実開平５−６３７８０号公報（段落番号０００５）
【発明の開示】
【発明が解決しようとする課題】
【０００６】
　しかし、いずれの従来技術においても、ステープル残量は視覚を頼りに行っているので、確実にステープル残量を認識できるとは限らず、ステープルマガジン内のステープルが空になり、空打ちして、はじめて気付くことがあり、苛立ち感を増大させる場合があった。
【０００７】
　本発明は、上記の課題に鑑みてなされたもので、ステープルの補充作業の必要性を早目に認識できるステープラーの提供を目的としている。
【課題を解決するための手段】
【０００８】
　上記目的を達成するため、本発明に係るステープラーは、ステープルマガジンの前端底部に曲台と対向するステープル打出口を有し、ステープルを打出口方向に押送するプッシャと、ステープル打出口からステープルを打ち出すドライバとを備えた構造を前提として、ステープルマガジン内に収容されるステープルの残量が少なくなったときに音や光を媒体として報知するステープル残量報知装置を備えたものである。
【０００９】
　この構成によると、残量を視覚により認識するのではなく、音や光を媒体とする報知機能を付設しているので、従来技術のように視認窓を覗く煩わしさを解消することができ、ステープル補充作業の急な告知から解放され、心理的に余裕をもって針打ち作業を行うことができる。
【００１０】
　この場合の音発生や光発生の手段としては、一般的に、ステープラーは、ステープルを打出口方向に押送するプッシャを必ず備えているので、このプッシャの移動を利用して、プッシャの所定位置で物理的に、あるいは電気・光学的に接触する部材との連繋により動作するよう構成することができる。
【００１１】
　つまり、残量報知装置は、プッシャがマガジンの打出口近傍まできたときにプッシャと物理的に、あるいは電気・光学的に接触感知して音又は光を発生する構成を採用することができる。
【００１２】
　ステープル残量報知装置を、音を発生させる弾片と、この弾片に係合して弾く係合部とから構成し、残量の少ないステープルの打出により係合部が弾片を弾くように、弾片をプッシャに設け、係合部をドライバに形成する。そうすれば、ステープルを打ち出したとき、弾片の音によって、ステープルマガジン内のステープルが残り少なくなっていることを報知することができる。
【００１３】
　ステープル残量報知装置の他の構成として、音を発生させる鐘部材と、この鐘部材を打つ打部材と、打部材に係合して弾く係合部とから構成してもよく、残量の少ないステープルの打出により係合部が打部材を弾くように、係合部をプッシャに設け、係合部を係合させる打部材の被係合部をドライバ付近に形成する。これにより、ステープルを打ち出したとき、鐘部材の音によって、ステープルマガジン内のステープルが残り少なくなっていることを報知することができる。
【００１４】
　ステープル残量報知装置を、音を発生させる音発生部と、この音発生部を作動停止するスイッチと、スイッチに係合して入切する係合部とから構成してもよく、残量の少ないステープルの打出により係合部がスイッチを入切するように、スイッチをプッシャに設け、係合部をドライバに形成する。そうすれば、ステープルを打ち出したとき、音発生部の音によって、ステープルマガジン内のステープルが残り少なくなっていることを報知することができる。
【００１５】
　また、音発生部の代わりに光発生部を設けて、光発生部の光によって、ステープルマガジン内のステープルが残り少なくなっていることを報知するようにしてもよい。すなわち、ステープル残量報知装置を、光を発生させる光発生部と、この光発生部を作動停止するスイッチと、スイッチに係合して入切する係合部とから構成し、残量の少ないステープルの打出により係合部がスイッチを入切するように、スイッチをプッシャに設け、係合部をドライバに形成してもよい。
【発明の効果】
【００１６】
　以上説明したように、本発明によれば、ステープルマガジン内に収容されるステープルの残量が少なくなったときに報知するステープル残量報知装置を設け、残量を視覚により認識するのではなく、音や光を媒体とする報知させるようにしたので、ステープル補充作業の急な告知から解放され、心理的に余裕をもって針打ち作業を行うことができる。
【発明を実施するための最良の形態】
【００１７】
　以下、本発明の実施形態を図面に基づいて説明する。まず、第１実施形態について説明する。
【００１８】
　［第１実施形態］
　図１は第１実施形態におけるステープラーの側面断面図、図２はステープル残量報知装置の斜視図、図３は同じくステープル残量報知機能の説明図である。
【００１９】
　ステープラー１は、図１に示すように、基本的には、ベース２、ステープルマガジン３およびハンドル４から構成され、これらの後端部が軸５により回動可能に軸着されている。
【００２０】
　ベース２は、その前端部に、ステープル６（針）の脚部を折り曲げるための凹部が形成された曲台７を備えている。このベース２とステープルマガジン３の後端部との間にはステープルマガジン３をベース２とは離反する方向に付勢する板ばね８が介装されている。
【００２１】
　ステープルマガジン３は、多数綴りになったコ字形のステープル６を装填する横断面Ｕ字状の箱体から構成され、その前端底部には、ステープル６を順次打ち出すためのステープル打出口９が形成されている。ステープル打出口９は、ステープルマガジン３がベース２に対して回動接近したときに曲台７と対向するようになっている。
【００２２】
　ステープルマガジン３内には、底板の前後部に支持片１０が突出形成され、この支持片１０間にガイドバー１１が挿通され、このガイドバー１１にステープル６を打出口９方向に押送するプッシャ１３が遊嵌されている。
【００２３】
　プッシャ１３は、断面下開放コ字状に形成され、その略中央の仕切壁に形成された遊嵌穴にガイドバー１１が貫通されている。仕切壁と後端側の支持片１０との間にはガイドバー１１にコイルばね１４が巻回され、このコイルばね１４によりプッシャ１３が打出口方向に付勢されている。
【００２４】
　ハンドル４には、その下面側にドライバ１５と押え板１６とが設けられている。ドライバ１５は、金属製板状部材であって、その先端がステープルマガジン３の打出口９と対向しており、マガジン３内のステープル６を先頭側から順次打ち出すようになっている。
【００２５】
　押え板１６は、ドライバ１５の打ち出し時にステープル６を上から押さえるためのもので、前端がドライバ１５の係合穴１５ａに係止され、ドライバ１５に一体化された板ばね１７により押え方向に付勢されている。
【００２６】
　上記構成に付加して、ステープル残量が残り少なくなったときに報知するステープル残量報知装置２０が設けられている。この残量報知装置２０は、基端がプッシャ１３の天部に固定され、先端がプッシャ１３から打出口９方向に突出形成された金属製の弾片２１と、ステープル残量が少なくなってきたときに、前記弾片２１の先端と接触するドライバ１５とから構成され、ドライバ１５の係合穴１５ａの壁面と弾片２１の先端が擦れ、弾片２１が弾性変形して復元する際に振動音を発生するようになっている。この弾片２１は、金属製の板ばね材が使用され、その基端がプッシャ１３の天部に固定されている。
【００２７】
　上記構成において、ステープルマガジン３内にステープル６が装填された状態で、曲台上に綴じるべき書類を置き、ハンドル４とベース２を板ばねの力に抗して接近する方向に押圧回動させると、押え板１６がステープル６の全体を上から押さえた状態で、ハンドル４とステープルマガジン３が同時に動き、その打出口９が書類に押圧される。
【００２８】
　このとき、ドライバ１５が板ばね１７の力に抗して接近方向に動き、ステープル６を打出口９から打ち出す。これにより、ステープル６の脚部が書類に刺さり、書類から突き出た脚部先端が曲台７により内側に折り曲げられて、書類が綴じられる。
【００２９】
　上記のような動作を繰り返し、ステープル残量が少なくなってくると、プッシャ１３の先端に位置する残量報知装置２０の弾片２１がドライバ１５と接触して弾性変形し、さらに、ハンドル４をベース方向に押圧回動すると、弾片２１の先端がドライバ１５の係合穴１５ａに係合して復元する。弾片２１は、その復元時に振動音を発生することになり、これにより、ステープルマガジン３内のステープル残量を目視確認しなくてもステープル残量が少なくなったことを使用者に知らせることができる。
【００３０】
　［第２実施形態］
　図４は本発明の第２実施形態におけるステープル残量報知装置の斜視図である。この実施形態のステープル残量報知装置は、プッシャ１３に取り付けた弾片２１に、長さが異なる３つの小片２１ａ、２１ｂ、２１ｃを形成し、各小片２１ａ、２１ｂ、２１ｃが夫々異なる音を発生するようにしたものである。
【００３１】
　弾片２１は、ステープルマガジン３の外方に配され、ステープルマガジン３のスライド穴２２を貫通する弾片取付部２６を介して、プッシャ１３の両側面に取り付けられている。スライド穴２２は、弾片取付部２６をプッシャ１３の移動方向に案内可能とされ、プッシャ１３の移動に伴って弾片２１が移動する。
【００３２】
　ドライバ１５の中央には、押え板１６の前端を係合する係合穴１５ａが形成され、その両側に、ステープルマガジン３の側壁を跨ぐ切欠１５ｂが形成されている。切欠１５ｂの外方側内縁には、弾片２１を係合して弾く係合爪１５ｃが形成され、ステープル残量が少なくなってプッシャ１３が打出口９の付近に移動したとき、係合爪１５ｃが弾片２１の小片２１ａ、２１ｂ、２１ｃを弾いて音を発生させるようになっている。
【００３３】
　この構成によれば、係合爪１５ａが一度の動作で３つの小片２１ａ、２１ｂ、２１ｃを弾くことにより、その和音効果を期待することができる。なお、他の構成は、第１実施形態と同じである。
【００３４】
　［第３実施形態］
　図５は本発明の第３実施形態におけるステープル残量報知装置の斜視図である。この実施形態のステープル残量報知装置は、第２実施形態におけるステープル残量報知装置とほぼ同じ構成であるが、ドライバ１５に切欠１５ｂを形成する代わりに、ステープルマガジン３の側壁外面に沿うように、係合爪１５ｃを有する側片１５ｄをドライバ１５と一体的に形成したものである。
【００３５】
　この構成によれば、ドライバ１５の幅を小さくすることにより、ステープラーの幅を小さくすることができる。なお、他の構成は、第２実施形態と同じである。
【００３６】
　［第４実施形態］
　図６は本発明の第４実施形態におけるステープル残量報知装置の斜視図、図７はステープル残量報知機能の説明図である。この実施形態のステープル残量報知装置は、音を発生させる鐘部材２７と、この鐘部材２７を打つ打部材２８と、打部材２８に係合して弾く係合部２９とからなり、ステープル６の残量が少ない状態でステープル６を打ち出すことにより、係合部２９が打部材２８を弾いて鐘部材２７を打ち鳴らすようにしたものである。
【００３７】
　鐘部材２７は、ハンドル４との間に隙間をあけて配置した金属板の一辺をハンドル４の天板内面に取り付けてなり、その下方の空間にコ字形フレーム状の打部材２８が配されている。打部材２８は、その両側片の端部をハンドル４に固定され、その中央片に突設された打部２８ａが、鐘部材２７の下面に対向している。打部材２８のコーナー部は、ドライバ１５の付近に位置し、係合部２９に係合するように下方に突出された被係合部３０とされる。係合部２９は、プッシャ１３の側面に形成され、スライド穴２２を貫通してステープルマガジン３の外方に突出している。
【００３８】
　図７に示すように、ステープルマガジン３内のステープル６が少なくなったとき、ハンドル４を押し下げてステープル６を打ち出すことにより、打部材２８の被係合部３０が係合部２９に係合する。被係合部３０と係合部２９とが係合したままハンドル４が上がることにより、打部材２８が下方にたわみ、その後、打部材２８のたわみが所定量を超えたとき、被係合部３０と係合部２９との係合が解除され、弾かれた打部材２８が鐘部材２７を打ち鳴らす。
【００３９】
　なお、鐘部材２７は、金属板の代わりに、図８（ａ）に示すドーム状のものや、図８（ｂ）に示す湾曲板状のものであってもよい。他の構成は、第１実施形態と同じである。
【００４０】
　［第５実施形態］
　図９は本発明の第５実施形態におけるステープル残量報知装置の斜視図、図１０はステープル残量報知機能の説明図である。この実施形態のステープル残量報知装置は、第４実施形態におけるステープル残量報知装置とほぼ同じ構成であるが、ハンドル４の天板内面に板状の鐘部材２７を設ける代わりに、ハンドル４の先端の空間にドーム状の鐘部材２７を設けている。
【００４１】
　打部材２８は、その打部２８ａを鐘部材２７に対向させるように、第４実施形態のものよりも先端側に延設した構造とされ、全体的に先端側に移動した分、側片の中央付近に被係合部３０を形成している。
【００４２】
　なお、鐘部材２７は、打部材２８で打ち鳴らし可能であればどのような形状であってもよく、ドーム状の代わりに、平板状や湾曲板状のものを採用してもよい。他の構成は、第４実施形態と同じである。
【００４３】
　［第６実施形態］
　図１１は第６実施形態におけるステープル残量報知装置の断面図である。この実施形態のステープル残量報知装置は、プッシャ１３の天部にスイッチの可動片２３が取り付けられ、可動片２３がドライバ１５と接触して弾性変形すると、可動片２３が固定部２４と電気的に接触してプッシャ１３に設置された音発生部２５を作動し、電子音によりステープル残量が少なくなったことを報知するようにしている。
【００４４】
　また、図１１において、音発生部２５に代わり、光発生部を設け、スイッチがOＮして、ＬＥＤランプなどが駆動されることで、ステープラーの側面から漏れた光により、ステープル残量が少なくなったことを報知するようにしてもよい。
【００４５】
　なお、本発明は、上記実施形態に限定されるものではなく、本発明の範囲内で多くの修正・変更を加えることができるのは勿論である。例えば、上記実施形態では、弾片をプッシャの天部に設けた例を示したが、弾片をプッシャの底部に設けてもよい。
【図面の簡単な説明】
【００４６】
【図１】本発明の第１実施形態におけるステープラーの側面断面図
【図２】ステープル残量報知装置の斜視図
【図３】同じくステープル残量報知機能の説明図
【図４】本発明の第２実施形態におけるステープル残量報知装置の斜視図
【図５】本発明の第３実施形態におけるステープル残量報知装置の斜視図
【図６】本発明の第４実施形態におけるステープル残量報知装置の斜視図
【図７】ステープル残量報知機能の説明図
【図８】鐘部材の別の実施形態
【図９】本発明の第５実施形態におけるステープル残量報知装置の斜視図
【図１０】ステープル残量報知機能の説明図
【図１１】第６実施形態におけるステープル残量報知装置の断面図
【符号の説明】
【００４７】
１　ステープラー
２　ベース
３　ステープルマガジン
４　ハンドル
９　打出口
１３　プッシャ
１５　ドライバ
２１　弾片
２３　可動片
２４　固定部
２５　音発生部
２７　鐘部材
２８　打部材
２９　係合部
【図１】
2004090214.tif 000003
【図２】
2004090214.tif 000004
【図３】
2004090214.tif 000005
【図４】
2004090214.tif 000006
【図５】
2004090214.tif 000007
【図６】
2004090214.tif 000008
【図７】
2004090214.tif 000009
【図８】
2004090214.tif 000010
【図９】
2004090214.tif 000011
【図１０】
2004090214.tif 000012
【図１１】
2004090214.tif 000013